(57)【特許請求の範囲】
【請求項１】
略直方体の紙製箱体内に積層された衛生用紙が収納されている衛生用紙収納箱であって、
前記箱体の正面パネルには、前記衛生用紙の取り出し口を形成するための輪郭切り込み線が設けられ、該輪郭切り込み線は、その両端が上面パネルと正面パネルとの間の折線に繋がり、この折線に沿って横長の輪郭形状を呈しており、上面パネルには、前記輪郭切り込み線の左右両端から上面パネルと背面パネルとの間の折線に繋がる取り出し口拡開用折線が、上面パネルと背面パネルとの間の折線に向かって互いに接近する方向に設けられ、正面パネルおよび背面パネルには、正面パネルと底面パネルとの間の折線および背面パネルと底面パネルとの間の折線の一部を底辺として略三角形を形成する山状の底上げ部形成用第１折線がそれぞれ対称位置に設けられ、また、底面パネルには、前記正面パネルと背面パネルに設けられた前記底上げ部形成用第１折線の底辺側端部間を繋ぐ底上げ部形成用第２折線が設けられていることを特徴とする衛生用紙収納箱。
【請求項２】
前記上面パネルに設けられた、前記輪郭切り込み線の左右両端から上面パネルと背面パネルとの間の折線に繋がる取り出し口拡開用折線は、前記輪郭切り込み線の左右両端の略中央位置で、上面パネルと背面パネルとの間の折線と直交する仮想線を挟んで対称に設けられていることを特徴とする請求項１に記載の衛生用紙収納箱。
【請求項３】
前記上面パネルに設けられた左右の取り出し口拡開用折線は、略円弧状に設けられていることを特徴とする請求項１または２のいずれか１に記載の衛生用紙収納箱。
【請求項４】
前記上面パネルには、前記左右の取り出し口拡開用折線における上面パネルと背面パネルとの間の折線に繋がる位置から、それぞれ上面パネルと正面パネルとの間の折線に直交状態で繋がる平行な補助折線が設けられていることを特徴とする請求項１乃至３のいずれか１に記載の衛生用紙収納箱。
【請求項５】
前記正面パネルと背面パネルに設けられた前記略三角形の頂点は、前記輪郭切り込み線の左右両端部の略中央位置で、上面パネルと背面パネルとの間の折線と直交して正面パネルと背面パネルに延長する仮想線上に有ることを特徴とする請求項１乃至４のいずれか１に記載の衛生用紙収納箱。
【請求項６】
正面パネルおよび背面パネルに設けられた底上げ部形成用第１折線で形成される略三角形は二等辺三角形であることを特徴とする請求項１乃至５のいずれか１に記載の衛生用紙収納箱。
【請求項７】
正面パネルおよび背面パネルには、前記略三角形の前記頂点から底辺に垂下させた底上げ部形成用第１補助折線が設けられていることを特徴とする請求項５に記載の衛生用紙収納箱。
【請求項８】
底面パネルには、正面パネルと背面パネルに設けられた略三角形の頂点から底辺に垂下させた底上げ部形成用第１補助折線の両端部間を繋ぐ底上げ部形成用第２補助折線が設けられていることを特徴とする請求項７に記載の衛生用紙収納箱。
【発明の詳細な説明】
【技術分野】
【０００１】
本発明は、ポップアップ式に取り出せるように交互に折り畳まれて積層されたティシュペーパー等の衛生用紙を収納する衛生用紙収納箱に関し、さらに詳しくは、衛生用紙を正面パネル側から取り出すようにした衛生用紙収納箱に関する。
【背景技術】
【０００２】
家庭やオフィス等で広く使用されているティシュペーパー、ペーパータオル等の衛生用紙をポップアップ式に取り出せるように交互に折り畳まれた状態で収納する衛生用紙収納箱として、直方体からなる紙製箱体の上面パネルに衛生用紙を取り出すための取り出し口を開口させる形式の衛生用紙収納箱が知られている。
【０００３】
しかしながら、衛生用紙収納箱を設置する場所や使い方によっては、衛生用紙を箱体から横方向に引き出した方が便利な場合がある。このような衛生用紙を横方向に引き出せるようにした衛生用紙収納箱として、箱体の正面パネルに衛生用紙の取り出し口が設けられた衛生用紙収納箱が提案されている（例えば、特許文献１参照。）。
特許文献１で開示されている衛生用紙収納箱は、内部に収納された衛生用紙が残り少なくなった状態でも取り出し易くするために、取り出し口は正面パネルの上端近傍から下端近傍に渡って略Ｔ字状に形成されている。
【先行技術文献】
【特許文献】
【０００４】
【特許文献１】実用新案登録第２５８６０１７号公報
【発明の概要】
【発明が解決しようとする課題】
【０００５】
しかし、上記特許文献１の衛生用紙収納箱は、取り出し口が正面パネルの上端近傍から下端近傍に渡って略Ｔ字状に形成されているので、取り出し口の開口が大きく、このため取り出し口から塵や埃などの異物が箱体内に入り込み易く、また、積層されている衛生用紙は上層から下層付近まで取り出し口を通して箱体外に露出した状態にあり、不衛生であるといった問題があった。
このような問題を解消するためには取り出し口を正面パネルの上側に且つ狭幅に形成すればよいが、このように形成した取り出し口では衛生用紙の取り出しが困難となり、特に衛生用紙が残り少なくなった場合には一層困難となり、そのような場合、無理に取り出し口を拡開させようとすると取り出し口周辺が破れてしまうといった問題がある。
【０００６】
本発明の目的は、正面パネルの上側に形成された取り出し口を容易に拡開できるようにするとともに、箱体内の衛生用紙を持ち上げられるようにすることにより、内部に収納された衛生用紙を容易に取り出せるようにした衛生用紙収納箱を提供することにある。
【課題を解決するための手段】
【０００７】
上記の目的を達成するために、請求項１に記載の発明は、略直方体の紙製箱体内に積層された衛生用紙が収納されている衛生用紙収納箱であって、前記箱体の正面パネルには、前記衛生用紙の取り出し口を形成するための輪郭切り込み線が設けられ、該輪郭切り込み線は、その両端が上面パネルと正面パネルとの間の折線に繋がり、この折線に沿って横長の輪郭形状を呈しており、上面パネルには、前記輪郭切り込み線の左右両端から上面パネルと背面パネルとの間の折線に繋がる取り出し口拡開用折線が、上面パネルと背面パネルとの間の折線に向かって互いに接近する方向に設けられ、正面パネルおよび背面パネルには、正面パネルと底面パネルとの間の折線および背面パネルと底面パネルとの間の折線の一部を底辺として略三角形を形成する山状の底上げ部形成用第１折線がそれぞれ対称位置に設けられ、また、底面パネルには、前記正面パネルと背面パネルに設けられた前記底上げ部形成用第１折線の底辺側端部間を繋ぐ底上げ部形成用第２折線が設けられていることを特徴とする。
【０００８】
請求項２に記載の発明は、請求項１に記載の、前記上面パネルに設けられた、前記輪郭切り込み線の左右両端から上面パネルと背面パネルとの間の折線に繋がる取り出し口拡開用折線は、前記輪郭切り込み線の左右両端の略中央位置で、上面パネルと背面パネルとの間の折線と直交する仮想線を挟んで対称に設けられていることを特徴とする。
【０００９】
請求項３に記載の発明は、請求項１または２のいずれか１に記載の、前記上面パネルに設けられた左右の取り出し口拡開用折線は、略円弧状に設けられていることを特徴とする。
【００１０】
請求項４に記載の発明は、請求項１乃至３のいずれか１に記載の、前記上面パネルには、前記左右の取り出し口拡開用折線における上面パネルと背面パネルとの間の折線に繋がる位置から、それぞれ上面パネルと正面パネルとの間の折線に直交状態で繋がる平行な補助折線が設けられていることを特徴とする。
【００１１】
請求項５に記載の発明は、請求項１乃至４のいずれか１に記載の、前記正面パネルと背面パネルに設けられた前記略三角形の頂点は、前記輪郭切り込み線の左右両端の略中央位置で、上面パネルと背面パネルとの間の折線と直交して正面パネルと背面パネルに延長する仮想線上に有ることを特徴とする。
【００１２】
請求項６に記載の発明は、請求項１乃至５のいずれか１に記載の、正面パネルおよび背面パネルに設けられた底上げ部形成用第１折線で形成される略三角形は二等辺三角形であることを特徴とする。
【００１３】
請求項７に記載の発明は、請求項５に記載の、正面パネルおよび背面パネルには、前記略三角形の前記頂点から底辺に垂下させた底上げ部形成用第１補助折線が設けられていることを特徴とする。
【００１４】
請求項８に記載の発明は、請求項７に記載の、底面パネルに、正面パネルと背面パネルに設けられた略三角形の頂点から底辺に垂下させた底上げ部形成用第１補助折線の両端部間を繋ぐ底上げ部形成用第２補助折線が設けられていることを特徴とする。
【発明の効果】
【００１５】
請求項１に記載の衛生用紙収納箱によれば、前記箱体の正面パネルに、両端が上面パネルと正面パネルとの間の折線に繋がり、この折線に沿って横長の輪郭形状を呈する取り出し口を形成するための輪郭切り込み線が設けられているので、前記輪郭切り込み線を破断して、輪郭切り込み線で囲まれた破断片を手前に引き出すことにより、正面パネルに、上面パネルと正面パネルとの間の折線に沿って横長の取り出し口を開口することができる。
【００１６】
上面パネルには、前記輪郭切り込み線の左右両端から上面パネルと背面パネルとの間の折線に繋がる取り出し口拡開用折線が設けられているので、取り出し口を開口させた箱体を、その両側から対向方向に押圧して上面パネルに設けられた取り出し口拡開用折線を谷折りさせると、箱体の左右寸法が狭められ左右の取り出し口拡開用折線の間にある中央部位が上方に湾曲し、そして、前記取り出し口拡開用折線が上面パネルと背面パネルとの間の折線に向かって互いに接近する方向に設けられているので、左右の取り出し口拡開用折線の間にある中央部位における取り出し口側の辺が大きく上方に湾曲することになり、これにより前記取り出し口が大きく拡開し、箱体内に収納された衛生用紙を容易に取り出すことができる。
【００１７】
また、正面パネルおよび背面パネルには、底面パネルとの間の折線の一部を底辺として略三角形を形成する山状の底上げ部形成用第１折線がそれぞれ対称位置に設けられ、底面パネルには、前記正面パネルと背面パネルに設けられた前記底上げ部形成用第１折線の底辺側端部間を繋ぐ底上げ部形成用第２折線が設けられているので、前記箱体を、その両側から対向方向に押圧して、正面パネルと背面パネルに設けられた底上げ部形成用第１折線を山折りするとともに、底面パネルに設けられた底上げ部形成用第２折線を谷折りすることにより、底面パネルに、正面パネルと背面パネルに設けられた略三角形の頂点を山頂とする山状底上げ部が形成され、この山状底上げ部により箱体内に収納された衛生用紙を前記正面パネルに開口する取り出し口近傍まで持ち上げることができ、そして、底面パネルへの山状底上げ部の形成により箱体の左右寸法が一層狭められ、その分左右の取り出し口拡開用折線の間にある上面パネルにおける中央部位が上方に大きく湾曲することになり、これにより前記取り出し口が一層大きく拡開するので、箱体内に収納されている衛生用紙が残り少なくなった場合でも最後まで容易に取り出すことができる。
【００１８】
さらには、箱体内に収納されている衛生用紙の取り出し口は、上面パネルと正面パネルとの間の折線に沿って横長に開口しているので、特許文献１の衛生用紙収納箱に比べ取り出し口から塵や埃などの異物が箱体内に入り込み難く、また、収納されている衛生用紙の箱体外への露出が少ないので衛生的である。
【００１９】
請求項２に記載の衛生用紙収納箱によれば、請求項１に記載の、前記上面パネルに設けられた、前記輪郭切り込み線の左右両端から上面パネルと背面パネルとの間の折線に繋がる取り出し口拡開用折線は、前記輪郭切り込み線の左右両端の略中央位置で、上面パネルと背面パネルとの間の折線と直交する仮想線を挟んで対称に設けられているので、箱体を両側から均等の力で押圧することにより左右の取り出し口拡開用折線を容易に谷折りすることができ、前記取り出し口の拡開が容易となる。
【００２０】
請求項３に記載の衛生用紙収納箱によれば、請求項１または２のいずれか１に記載の、前記上面パネルに設けられた左右の取り出し口拡開用折線は、略円弧状に設けられているので、箱体を、その両側から対向方向に押圧したとき、取り出し口拡開用折線を軽い力でスムーズに谷折りすることができ、左右の取り出し口拡開用折線で挟まれた中央部位が上方に円弧状に湾曲するので、前記取り出し口を一層大きく拡開させることができる。
【００２１】
請求項４に記載の衛生用紙収納箱によれば、請求項１乃至３のいずれか１に記載の、前記上面パネルには、前記左右の取り出し口拡開用折線における上面パネルと背面パネルとの間の折線に繋がる位置から、それぞれ上面パネルと正面パネルとの間の折線に直交状態で繋がる平行な補助折線が設けられているので、箱体を、その両側から対向方向に押圧する際、取り出し口拡開用折線の谷折りとともに、補助折線を山折りすることにより、取り出し口拡開用折線の谷折りが一層容易となり、また、左右の取り出し口拡開用折線で挟まれた中央部位を上方に容易に湾曲させることができる。
【００２２】
請求項５に記載の衛生用紙収納箱によれば、請求項１乃至４のいずれか１に記載の、前記正面パネルと背面パネルに設けられた前記略三角形の頂点は、前記輪郭切り込み線の左右両端の略中央位置で、上面パネルと背面パネルとの間の折線と直交して正面パネルと背面パネルに延長する仮想線上に有るので、底面パネルに、正面パネルと背面パネルに設けられた略三角形の頂点を頂上とする山状底上げ部を形成したとき、山状底上げ部で持ち上げられた衛生用紙は取り出し口の略中央位置近傍に盛り上がることになり、取り出し口から容易に取り出すことができる。
【００２３】
請求項６に記載の衛生用紙収納箱によれば、請求項１乃至５のいずれか１に記載の、正面パネルおよび背面パネルに設けられた底上げ部形成用第１折線で形成される略三角形は二等辺三角形であるので、箱体を両側から均等の力で押圧することにより、底上げ部形成用第１折線を容易に山折りし、底上げ部形成用第２折線を容易に谷折りすることができる。
【００２４】
請求項７に記載の衛生用紙収納箱によれば、請求項５に記載の、正面パネルおよび背面パネルには、前記略三角形の前記頂点から底辺に垂下させた底上げ部形成用第１補助折線が設けられているので、正面パネルと背面パネルに設けられた底上げ部形成用第１折線の山折りと底面パネルに設けられた底上げ部形成用第２折線の谷折りとともに、底上げ部形成用第１補助折線を谷折りすることにより、前記底上げ部形成用第１折線の山折りと底上げ部形成用第２折線の谷折りが一層容易となり、底面パネルに山状底上げ部を容易に形成することができる。
【００２５】
請求項８に記載の衛生用紙収納箱によれば、請求項７に記載の、底面パネルには、正面パネルと背面パネルに設けられた略三角形の頂点から底辺に垂下させた底上げ部形成用第１補助折線の両端部間を繋ぐ底上げ部形成用第２補助折線が設けられているので、正面パネルと背面パネルに設けられた底上げ部形成用第１折線の山折りと底上げ部形成用第１補助折線の谷折りと底面パネルに設けられた底上げ部形成用第２折線の谷折りとともに、底上げ部形成用第２補助折線を山折りすることにより、前記底上げ部形成用第１折線の山折りと底上げ部形成用第２折線の谷折りが一層容易となり、底面パネルに山状底上げ部を容易に形成することができる。
【図面の簡単な説明】
【００２６】
【図１】本発明に係る衛生用紙収納箱の形態の一例を示す斜視図である。
【図２】本例の展開図である。
【図３】本例の使用状態を示す斜視図である。
【図４】本例の取り出し口を拡開した状態を示す斜視説明図である。
【図５】本例の取り出し口を拡開した状態を示す側面図である。
【図６】本例の底面パネルに山状底上げ部を形成した状態を示す斜視説明図である。
【図７】本例の底面パネルに山状底上げ部を形成した状態を示す正面説明図である。
【発明を実施するための形態】
【００２７】
以下、本発明に係る衛生用紙収納箱を実施するための形態を説明する。
図１乃至図７は本発明に係る衛生用紙収納箱の実施の形態の一例を示すもので、図１は本例の斜視図、図２は本例の展開図、図３は本例の使用状態を示す斜視図、図４は本例の取り出し口を拡開した状態を示す斜視説明図、図５は本例の取り出し口を拡開した状態を示す側面図、図６は本例の底面パネルに山状底上げ部を形成した状態を示す斜視説明図、図７は本例の底面パネルに山状底上げ部を形成した状態を示す正面説明図である。
【００２８】
本例の衛生用紙収納箱は、略直方体の紙製箱体１内にポップアップ式に取り出せるように交互に折り畳まれて積層された衛生用紙２が収納されたものである。この箱体１は、図２の展開図に示すブランクシート３により組立てられる。ブランクシート３は、折線４，５，６を介して図中上下方向に連接する長方形状の背面パネル７、上面パネル８、正面パネル９、底面パネル１０と、上面パネル８及び底面パネル１０の左右両端に折線１１，１２を介して連接する側面パネル１３，１４と、背面パネル７と正面パネル９の左右両端に折線１５，１６を介して連接する前記側面パネル１３，１４の内側に折り込まれる折込パネル１７，１８と、底面パネル１０の下端に折線１９を介して連接する前記背面パネル７に接着される糊代パネル２０とを有するように構成されている。前記折線１９は、ブランクシート３により箱体１を組み立てたとき、背面パネル７と底面パネル１０との間の折線となる。
【００２９】
前記正面パネル９には、衛生用紙２の取り出し口２５を形成するための輪郭切り込み線２６が設けられ、輪郭切り込み線２６は、その両端部が上面パネル８と正面パネル９との間の折線５に繋がり、この折線５に沿って横長の輪郭形状を呈している。本例では、輪郭切り込み線２６はミシン目で形成されている。
なお、本例では、前記取り出し口２５を形成するための輪郭切り込み線２６が設けられたパネルを正面パネル９と位置づけている。
【００３０】
また、上面パネル８には、輪郭切り込み線２６の左右両端から上面パネル８と背面パネル７との間の折線４に繋がる取り出し口拡開用折線２７ａ、２７ｂが、折線４に向かって互いに接近する方向に設けられている。
本例では、左右の取り出し口拡開用折線２７ａ、２７ｂは、輪郭切り込み線２６の左右両端の略中央位置で、上面パネル８と背面パネル７との間の折線４と直交する仮想線Ｌを挟んで対称に設けられている。また、左右の取り出し口拡開用折線２７ａ、２７ｂは、略円弧状に設けられている。
【００３１】
また、本例では、上面パネル８に、左右の取り出し口拡開用折線２７ａ、２７ｂにおける上面パネル８と背面パネル７との間の折線４に繋がる位置から、それぞれ上面パネル８と正面パネル９との間の折線５に直交状態で繋がる平行な補助折線２８ａ，２８ｂが設けられている。さらに、前記仮想線Ｌ上に補助折線２８ｃが設けられている。
【００３２】
また、本例では、上面パネル８と正面パネル９との間の折線５から、左右の取り出し口拡開用折線２７ａ、２７ｂに沿って所定寸法のスリット２９ａ，２９ｂが設けられている。
このスリット２９ａ，２９ｂは、後述するところの取り出し口２５を拡開するために行う、取り出し口拡開用折線２７ａ、２７ｂの谷折りを容易にし、取り出し口拡開用折線２７ａ、２７ｂで挟まれた上面パネル８における中央部位を容易に湾曲させることを助けるものである。この所定寸法とは、上面パネル８の縦方向１／４以内であることが好ましい。上面パネル８の縦方向１／４を超えると取り出し口２５が必要以上に拡開してしまう。
【００３３】
また、正面パネル９および背面パネル７には、底面パネル１０との間の折線６，１９の一部を底辺３０ａ，３０ｂとして略三角形を形成する山状の底上げ部形成用第１折線３１ａ，３１ｂがそれぞれ対称位置に設けられ、また、底面パネル１０には、正面パネル９と背面パネル７に設けられた底上げ部形成用第１折線３１ａ，３１ｂの底辺３０ａ，３０ｂの両端部間を繋ぐ底上げ部形成用第２折線３２ａ，３２ｂが設けられている。
【００３４】
本例では、正面パネル９と背面パネル７に設けられた底上げ部形成用第１折線３１ａ，３１ｂと底辺３０ａ，３０ｂで形成される略三角形の頂点Ｔは、輪郭切り込み線２６の左右両端の略中央位置で、上面パネル８と背面パネル７との間の折線４と直交して正面パネル９と背面パネル７に延長する仮想線Ｌ上にある。底上げ部形成用第１折線３１ａ，３１ｂと底辺３０ａ，３０ｂで形成される略三角形は二等辺三角形となっている。
【００３５】
また、本例では、正面パネル９および背面パネル７には、略三角形の頂点Ｔから底辺３０ａ，３０ｂに垂下させた底上げ部形成用第１補助折線３３ａ，３３ｂが設けられている。
また、本例では、底面パネル１０には、正面パネル９と背面パネル７に設けられた略三角形の頂点Ｔから底辺３０ａ，３０ｂに垂下させた底上げ部形成用第１補助折線３３ａ，３３ｂの端部間を繋ぐ底上げ部形成用第２補助折線３４が設けられている。
また、本例では、前記底上げ部形成用第１折線３１ａ，３１ｂ、底上げ部形成用第２折線３２ａ，３２ｂ、底上げ部形成用第２補助折線３４のそれぞれの線上に、折り易くするための間欠的なスリット３５が設けられている。
【００３６】
また、背面パネル７に接着する糊代パネル２０には、背面パネル７に設けられた底上げ部形成用第１折線３１ｂと底上げ部形成用第１補助折線３３ｂに対応し、背面パネル７と糊代パネル２０を接着したときに重なる折線３６，３７が設けられている。
【００３７】
前記ブランクシート３による箱体１は、折線４，５，６，１９から背面パネル７、上面パネル８、正面パネル９、底面パネル１０、糊代パネル２０を山折りして、糊代パネル２０を背面パネル７に接着し、また、背面パネル７と正面パネル９の左右両端に連接する折込パネル１７，１８を折線１５，１６から山折りし、さらに上面パネル８及び底面パネル１０の左右両端に連接する側面パネル１３，１４を折線１１，１２から山折りして折込パネル１７，１８の外側に重ね、側面パネル１３，１４を接着することにより組み立てられる。
そして、この箱体１内には、側面パネル１３，１４を接着する前に、ポップアップ式に取り出せるようにして交互に折り畳まれて積層された衛生用紙２が収納され、側面パネル１３，１４が接着されて図１に示す衛生用紙収納箱が完成する。
【００３８】
このようにして完成した衛生用紙収納箱の開封にあっては、箱体１の正面パネル９に設けられている輪郭切り込み線２６を破断して、輪郭切り込み線２６で囲まれた破断片３８を手前に引き出すことにより、取り出し口２５を開口させる（図３）。
このようにして開口した取り出し口２５から箱体１内に収納されている積層された衛生用紙２の最上部にある衛生用紙２を取り出す。
【００３９】
このとき、最初の衛生用紙２を取り出す際、取り出し口２５を開口させた箱体１を、その両側から対向方向に押圧して（図４の矢印方向。）上面パネル８に設けられた取り出し口拡開用折線２７ａ、２７ｂを谷折りさせると、箱体１の左右寸法が狭められ取り出し口拡開用折線２７ａ、２７ｂの間にある中央部位が上方に湾曲し、そして、取り出し口拡開用折線２７ａ、２７ｂが互いに接近する方向に向かって設けられているので、取り出し口拡開用折線２７ａ、２７ｂで挟まれた中央部位における取り出し口２５側の辺が大きく上方に湾曲することになり、これにより取り出し口２５が大きく拡開し（図４参照。）、箱体１内に収納された衛生用紙２を容易に取り出すことができる。
【００４０】
本例では、取り出し口拡開用折線２７ａ、２７ｂは、輪郭切り込み線２６の左右両端の略中央位置で、上面パネル８と背面パネル７との間の折線４と直交する仮想線Ｌを挟んで対称に設けられているので、箱体１を両側から均等の力で押圧することにより取り出し口拡開用折線２７ａ、２７ｂを容易に谷折りすることができる。
【００４１】
また、取り出し口拡開用折線２７ａ、２７ｂは略円弧状に設けられているので、箱体１を、その両側から対向方向に押圧したとき、取り出し口拡開用折線２７ａ、２７ｂを軽い力でスムーズに谷折りすることができ、取り出し口拡開用折線２７ａ、２７ｂの間にある中央部位が上方に円弧状に湾曲するので、取り出し口２５を一層大きく拡開させることができる。
【００４２】
また、上面パネル８には、取り出し口拡開用折線２７ａ、２７ｂにおける上面パネル８と背面パネル７との間の折線４に繋がる位置から、それぞれ上面パネル８と正面パネル９との間の折線５に直交状態で繋がる平行な補助折線２８ａ，２８ｂが設けられており、さらに、前記仮想線Ｌ上に補助折線２８ｃが設けられているので、箱体１を、その両側から対向方向に押圧する際、取り出し口拡開用折線２７ａ、２７ｂの谷折りとともに、補助折線２８ａ，２８ｂ，２８ｃを山折りすることにより、取り出し口拡開用折線２７ａ、２７ｂの谷折りが一層容易となる。
【００４３】
また、本例では、上面パネル８と正面パネル９との間の折線５から、左右の取り出し口拡開用折線２７ａ、２７ｂに沿って所定寸法のスリット２９ａ，２９ｂが設けられているので、取り出し口拡開用折線２７ａ、２７ｂの谷折りが一層容易となり、取り出し口拡開用折線２７ａ、２７ｂの間にある中央部位を一層大きく湾曲させることができる。
【００４４】
また、正面パネル９および背面パネル７には、底面パネル１０との間の折線６，１９の一部を底辺３０ａ，３０ｂとして略三角形を形成する山状の底上げ部形成用第１折線３１ａ，３１ｂがそれぞれ対称位置に設けられ、また、底面パネル１０には、正面パネル９と背面パネル７に設けられた底上げ部形成用第１折線３１ａ，３１ｂの底辺３０ａ，３０ｂの両端部間を繋ぐ底上げ部形成用第２折線３２ａ，３２ｂが設けられているので、箱体１を、その両側から対向方向に押圧して（図６の矢印方向。）、底上げ部形成用第１折線３１ａ，３１ｂを山折りするとともに、底上げ部形成用第２折線３２ａ，３２ｂを谷折りすることにより、底面パネル１０に、正面パネル９と背面パネル７に設けられた略三角形の頂点Ｔを山頂とする山状底上げ部３９が形成される。
【００４５】
そして、底面パネル１０への山状底上げ部３９の形成により箱体１の左右寸法が一層狭められ、その分左右の取り出し口拡開用折線２７ａ、２７ｂの間にある上面パネル８における中央部位が上方に大きく湾曲することになり、これにより取り出し口２５が一層大きく拡開する（図６参照。）。
底面パネル１０への山状底上げ部３９の形成により、箱体１内に収納された衛生用紙２を正面パネル９に開口する取り出し口２５近傍まで持ち上げることができ、箱体１内に収納されている衛生用紙２が残り少なくなった場合でも最後まで容易に取り出すことができる。
【００４６】
また、本例では、正面パネル９と背面パネル７に設けられた底上げ部形成用第１折線３１ａ，３１ｂと底辺３０ａ，３０ｂで形成される略三角形の頂点Ｔは、輪郭切り込み線２６の左右両端の略中央位置で、上面パネル８と背面パネル７との間の折線４と直交して正面パネル９と背面パネル７に延長する仮想線Ｌ上に有るので、山状底上げ部３９で持ち上げられた衛生用紙２は取り出し口２５の略中央位置近傍に盛り上がることになり、取り出し口２５から容易に取り出すことができる（図７参照。）。
【００４７】
また、底上げ部形成用第１折線３１ａ，３１ｂと底辺３０ａ，３０ｂで形成される略三角形は二等辺三角形となっているので、箱体１を両側から均等の力で押圧することにより底上げ部形成用第１折線３１ａ，３１ｂを容易に山折りし、底上げ部形成用第２折線３２ａ，３２ｂを容易に谷折りすることができる。
【００４８】
また、正面パネル９および背面パネル７には、略三角形の頂点Ｔから底辺３０ａ，３０ｂに垂下させた底上げ部形成用第１補助折線３３ａ，３３ｂが設けられているので、底上げ部形成用第１折線３１ａ，３１ｂの山折りと底上げ部形成用第２折線３２ａ，３２ｂの谷折りとともに、底上げ部形成用第１補助折線３３ａ，３３ｂを谷折りすることにより、底上げ部形成用第１折線３１ａ，３１ｂの山折りと底上げ部形成用第２折線３２ａ，３２ｂの谷折りが一層容易となる。
【００４９】
また、底面パネル１０には、正面パネル９と背面パネル７に設けられた略三角形の頂点Ｔから底辺３０ａ，３０ｂに垂下させた底上げ部形成用第１補助折線３３ａ，３３ｂの両端部間を繋ぐ底上げ部形成用第２補助折線３４が設けられているので、底上げ部形成用第１折線３１ａ，３１ｂの山折りと底上げ部形成用第１補助折線３３ａ，３３ｂの谷折りと底上げ部形成用第２折線３２ａ，３２ｂの谷折りとともに、底上げ部形成用第２補助折線３４を山折りすることにより、底上げ部形成用第１折線３１ａ，３１ｂの山折りと底上げ部形成用第２折線３２ａ，３２ｂの谷折りが一層容易となる。
【符号の説明】
【００５０】
１  箱体
２  衛生用紙
３  ブランクシート
４，５，６  折線
７  背面パネル
８  上面パネル
９  正面パネル
１０  底面パネル
１１，１２  折線
１３，１４  側面パネル
１５，１６  折線
１７，１８  折込パネル
１９  折線
２０  糊代パネル
２５  取り出し口
２６  輪郭切り込み線
２７ａ，２７ｂ  取り出し口拡開用折線
２８ａ，２８ｂ，２８ｃ  補助折線
２９ａ，２９ｂ  スリット
３０ａ，３０ｂ  底辺
３１ａ，３１ｂ  底上げ部形成用第１折線
３２ａ，３２ｂ  底上げ部形成用第２折線
３３ａ，３３ｂ  底上げ部形成用第１補助折線
３４  底上げ部形成用第２補助折線
３５  スリット
３６，３７  折線
３８  破断片
３９  山状底上げ部
【図１】
0005794733.tif 000002
【図２】
0005794733.tif 000003
【図３】
0005794733.tif 000004
【図４】
0005794733.tif 000005
【図５】
0005794733.tif 000006
【図６】
0005794733.tif 000007
【図７】
0005794733.tif 000008